(57)【特許請求の範囲】
【請求項１】
室内の上方に設置される空気調和機に設けられて前記空気調和機の吸込グリルを昇降させる昇降装置であって、
前記空気調和機の本体側に設けられる一対の巻取ドラムと、
一端が一方の前記巻取ドラムに接続されると共に他端が他方の前記巻取ドラムに接続されて前記巻取ドラムによって巻き上げられるワイヤと、
前記ワイヤによって吊持されて前記吸込グリルに接続される接続金具と、
前記接続金具に設けられる一対の平行な軸に夫々回転自在に支持されて前記ワイヤが巻き掛けられる一対のプーリと、
一対の前記プーリの間となる前記接続金具に形成されて一対の前記プーリの間の前記ワイヤがその延在方向に移動可能に挿通される一対のストッパ部と、
一対の前記ストッパ部の間の前記ワイヤに固定されて前記ストッパ部を通過できない一対の抜止部材と、を有し、
前記抜止部材が前記ストッパ部に当接することにより前記吸込グリルの傾きが規制されることを特徴とする昇降装置。
【請求項２】
前記プーリに対して軸を平行にして隣接配置されて前記接続金具に回転自在に支持される一対のガイドローラを有し、
前記プーリに巻き掛けられた前記ワイヤは、前記プーリと前記ガイドローラとによって挟まれることを特徴とする請求項１に記載の昇降装置。
【請求項３】
前記ストッパ部と前記抜止部材との間には、前記ストッパ部及び前記抜止部材によって挟圧される弾性部材が介装されることを特徴とする請求項１または請求項２に記載の昇降装置。
【請求項４】
前記接続金具は、前記吸込グリルに対して着脱自在に取り付けられることを特徴とする請求項１から請求項３の何れか１項に記載の昇降装置。
【発明の詳細な説明】
【技術分野】
【０００１】
本発明は、天井に設置される空気調和装置の室内機等に設けられて該室内機等の吸込グリルを昇降させる昇降装置に関する。
【背景技術】
【０００２】
一般に、ダクト式空調システムの室内空気吸込チャンバ、換気装置の室内空気吸込チャンバ、冷媒配管式空調システムの室内機等として、天井に埋め込まれる天井埋込型または天井から吊り下げられる天井吊下型がある。従来、この種の室内機等において、フィルタが配設される吸込グリル若しくはパネル等をワイヤ等によって吊り下げ、昇降自在に構成したものが知られている。
【０００３】
例えば、特許文献１に開示された天井埋込型空気調和機は、天井に埋設されるユニット本体に昇降用モータとこの昇降用モータで駆動される２連の巻取プーリとを有する昇降メカユニットを備えている。ユニット本体に設けられる天井パネルには、吸込グリルが着脱自在に設けられ、その吸込グリルは、昇降メカユニットにより吊りワイヤを介して昇降自在に支持される。
【０００４】
同文献の天井埋込型空気調和機では、上記巻取プーリから夫々繰り出される吊りワイヤは、吊りワイヤガイド手段に摺動可能に挿通され、各先端部同士がワンタッチ式接続金具により着脱可能に相互に連結される。吊りワイヤが吊りワイヤガイド手段に摺動自在にガイドされることにより、左右の吊りワイヤの巻き取り長さに差が生じても、吸込グリルを天井パネルに確実に納めることができる。
【０００５】
また例えば、特許文献２には、センターパネルとフィルタとが一体となって、複数本の吊りロープにより、本体の化粧パネルに対して昇降可能に設けられる天井埋込型空気調和装置が開示されている。同文献の吊りロープは、センターパネルに設置されるロープガイドのロープ受け面に接触して摺動可能に支持され、夫々の吊りロープの先端は、スプリングを介して係脱自在に連結される。前記スプリングが伸長することにより、センターパネルは、水平状態に修正されて化粧パネルに収納される。
【０００６】
また例えば、特許文献３には、吸込グリルを昇降させる機構を備えた天井埋込型空気調和機において、吸込グリルには、表裏に貫通する通し孔が形成され、該通し孔に夫々挿通される吊紐の先端同士は、連結具で接続されることが記載されている。前記連結具は、前記通し孔の孔径よりも大きい径を有し、これにより、１本の吊紐が切れても残りの１本の吊紐で吸込グリルを支持することができる。
【先行技術文献】
【特許文献】
【０００７】
【特許文献１】特開２０００−１６１７６７号公報
【特許文献２】特開２００２−６１８７６号公報
【特許文献３】特開２００４−１５０７１６号公報
【発明の概要】
【発明が解決しようとする課題】
【０００８】
上記した従来技術では、吸込グリル等は、吸込グリル等を吊持するワイヤ等に対して移動自在に設けられている。そのため、ワイヤの両端側の巻き取り長さに差が生じても、吸込グリルがワイヤに対して移動するので、吸込グリルが閉じられた状態においては、吸込グリルは傾きが修正されて水平になる。
【０００９】
しかしながら、吸込グリルがワイヤに対して移動可能であるので、ワイヤが繰り出されて吸込グリルが吊り下げられた状態において、吸込グリルがワイヤに対して移動して大きく傾いてしまうという問題点があった。
【００１０】
特に、吸込グリルを吊持するワイヤが吸込グリルに設けられるガイド手段等に接触して摺動自在に支持される構成では、ワイヤとガイド手段等との摩擦抵抗が比較的大きいので、一度傾いた吸込みグリルは、水平状態に戻り難く、傾いたままの状態になり易い。
【００１１】
このように吸込グリルが大きく傾いた状態で巻き上げられると、吸込グリルは、空調機本体の所定の格納位置に入り難くなる。また、吸込グリルが大きく傾くと、吸込グリルに取り付けられているフィルタのずれや外れ、落下等の恐れもあるので、吸込グリルが大きく傾くことは、好ましくない。
【００１２】
また、上記した従来技術では、吸込グリル等を吊持するワイヤ等は、連結具等によって互いの端部同士が連結される。そのため、ワイヤ等と連結具等との連結作業が容易ではなく、また、連結が不適切であると連結具等からワイヤ等が外れてしまうという問題点がある。
【００１３】
本発明は、上記の事情に鑑みてなされたものであり、その目的とするところは、組み立てが容易で、ワイヤの外れ等に対する安全性が高く、且つ吸込グリルがワイヤに吊持された状態において吸込グリルの傾きを抑制してその姿勢を安定させることができる昇降装置を提供することにある。
【課題を解決するための手段】
【００１４】
本発明の昇降装置は、室内の上方に設置される空気調和機に設けられて前記空気調和機の吸込グリルを昇降させる昇降装置であって、前記空気調和機の本体側に設けられる一対の巻取ドラムと、一端が一方の前記巻取ドラムに接続されると共に他端が他方の前記巻取ドラムに接続されて前記巻取ドラムによって巻き上げられるワイヤと、前記ワイヤによって吊持されて前記吸込グリルに接続される接続金具と、前記接続金具に設けられる一対の平行な軸に夫々回転自在に支持されて前記ワイヤが巻き掛けられる一対のプーリと、一対の前記プーリの間となる前記接続金具に形成されて一対の前記プーリの間の前記ワイヤがその延在方向に移動可能に挿通される一対のストッパ部と、一対の前記ストッパ部の間の前記ワイヤに固定されて前記ストッパ部を通過できない一対の抜止部材と、を有し、前記抜止部材が前記ストッパ部に当接することにより前記吸込グリルの傾きが規制されることを特徴とする。
【発明の効果】
【００１５】
本発明の昇降装置によれば、空気調和機の本体側に設けられる一対の巻取ドラムと、一端が一方の前記巻取ドラムに接続されると共に他端が他方の前記巻取ドラムに接続されて前記巻取ドラムによって巻き上げられるワイヤと、前記ワイヤによって吊持されて前記吸込グリルに接続される接続金具と、を有する。このように本発明では、上述した従来技術のように連結具等によって２本のワイヤが連結される構成ではなく、１本の連続したワイヤによって吸込グリルが吊持される。そのため、ワイヤと連結具等とを接続する必要がなく、昇降装置の組み立てが容易であり、昇降装置と吸込グリルとの接続も容易である。また、ワイヤと連結具等との連結部がないので、そのような連結部からワイヤが外れてしまうという恐れもない。
【００１６】
また更に、本発明の昇降装置は、前記接続金具に設けられる一対の平行な軸に夫々回転自在に支持されて前記ワイヤが巻き掛けられる一対のプーリを有する。このような構成において、ワイヤを移動自在に支持するプーリの転がり抵抗は、従来技術のようにワイヤを摺動自在に支持するガイド手段等の滑り抵抗と比べると小さい。よって、吸込グリルは、ワイヤに対して相対移動し易く、僅かに傾いたとしても水平な状態に戻り易い。これにより、吸込グリルの姿勢が安定し、吸込グリルは略水平に保たれる。
【００１７】
また更に、本発明の昇降装置は、一対の前記プーリの間となる前記接続金具に形成されて一対の前記プーリの間の前記ワイヤがその延在方向に移動可能に挿通される一対のストッパ部と、一対の前記ストッパ部の間の前記ワイヤに固定されて前記ストッパ部を通過できない一対の抜止部材と、を有し、前記抜止部材が前記ストッパ部に当接することにより前記吸込グリルの傾きが規制される。これにより、吸込グリルが大きく傾いてしまうことが抑制され、吸込グリルは、略水平な状態に戻り易くなる。
【００１８】
また、仮に、何らかの理由でワイヤが切断された場合であっても、ワイヤの切断されていない端部側に固定されている抜止部材はストッパ部材を通過することができないので、切断されていない端部側のワイヤによって吸込グリルを支持することができる。よって、ワイヤの破損時においても吸込グリルの落下を防止することができる。
【００１９】
また、本発明の昇降装置によれば、前記プーリに対して軸を平行にして隣接配置されて前記接続金具に回転自在に支持される一対のガイドローラを有し、前記プーリに巻き掛けられた前記ワイヤは、前記プーリと前記ガイドローラとによって挟まれる。これにより、ワイヤが吸込グリルに対して容易に移動できる状態で、且つワイヤがプーリから外れてしまうことが抑制され、吸込グリルの傾きを抑制しつつワイヤの外れ等に対する安全性が高められる。
【００２０】
また、本発明の昇降装置によれば、前記ストッパ部と前記抜止部材との間には、前記ストッパ部及び前記抜止部材によって挟圧される弾性部材が介装されても良い。これにより、吸込グリルが傾いてワイヤに固定されている抜止部材がストッパ部に接近した際には、ストッパ部及び抜止部材によって圧縮される弾性部材の復元力によってストッパ部と抜止部材とを引き離す力が作用する。その結果、吸込グリルは元の略水平な状態に戻り易くなり、吸込グリルの姿勢が安定する。
【００２１】
また、本発明の昇降装置によれば、前記接続金具は、前記グリルに対して着脱自在に取り付けられても良い。これにより、ワイヤの連結作業等を行うことなく、昇降装置と吸込グリルとの接続作業を容易に行うことができる。即ち、予めワイヤが接続されている接続金具を吸込グリル若しくはその支持金具等に取り付けることにより、吸込グリルを昇降装置に容易に取り付けることができる。
【図面の簡単な説明】
【００２２】
【図１】本発明の実施形態に係る昇降装置を備えた空気調和機の斜視図である。
【図２】本発明の実施形態に係る空気調和機の分解斜視図である。
【図３】本発明の実施形態に係る吸込グリルの斜視図である。
【図４】本発明の実施形態に係る昇降装置の概略構成を示す図であり、（Ａ）は部分断面正面図、（Ｂ）は接続金具近傍の平面図である。
【図５】本発明の実施形態に係る昇降装置のプーリ近傍を示す拡大図であり、（Ａ）は図４（Ｂ）に示すＡ−Ａ線断面図、（Ｂ）は斜視図である。
【図６】本発明の実施形態に係る昇降装置の接続金具の取り付けを示す図であり、（Ａ）は接続金具をグリル支持部材に載置した状態を示す斜視図、（Ｂ）は（Ａ）に示すＢ部近傍の拡大斜視図、（Ｃ）は落下防止部材の取り付けを示すＢ部近傍の拡大斜視図、（Ｄ）はナットの取り付けを示すＢ部近傍の拡大斜視図である。
【発明を実施するための形態】
【００２３】
以下、本発明の実施形態に係る昇降装置を図面に基づき詳細に説明する。
図１は、本発明の実施形態に係る昇降装置２を備えた空気調和機１を斜め下から見た斜視図であり、昇降自在に設けられる吸込グリル５が引き出された状態を示している。
【００２４】
図１に示すように、空気調和機１は、室内の換気、暖房及び冷房等に用いられるダクト式空調システムの室内機であり、室内の空気を空気調和装置内に取り込む室内空気吸込装置である。本実施形態に係る空気調和装置は、室内空気吸込装置である空気調和機１の他に、図示しない空気吹出装置、熱交換器、送風機、分岐チャンバ、ダンパ、及び各装置をつなぎ空気を流すためのダクト等を有する。なお、本実施形態の昇降装置２を用いる空気調和装置としては、換気のみを行う換気装置や冷媒配管式の空気調和装置等でも良い。
【００２５】
空気調和機１の本体となる吸込チャンバ３は、天井の内部等に埋め込まれており、室内側に開口する吸込口３６と、図示しないダクト等が接続されるダクト接続部と、を有する。吸込口３６は、室内から空気を取り込む開口であり、吸込口３６には、略格子状等の吸込グリル５が開閉自在に設けられる。なお、吸込グリル５は、例えば、合成樹脂の一体成形品、または、アルミニウム等の押出材や鋼板等の板金加工材等から構成される。
【００２６】
吸込チャンバ３のダクト接続部は、略円形の貫通孔とその周囲縁から連続する略円筒状の接続部を有し、該接続部に前述のダクト等が接続される。吸込チャンバ３内に取り込まれる室内の空気は、ダクト等を介して図示しない他の装置に送られる。
【００２７】
天井内等に埋め込まれる空気調和機１の本体側には、昇降装置２の巻上装置１０が配設される。空気調和機１の吸込グリル５は、巻上装置１０につながるワイヤ２０によって、空気調和機１の本体側から吊り下げられており、昇降自在に構成されている。なお、空気調和機１は、天井等から吊り下げられて室内の上部に設置される天井吊下型であっても良い。
【００２８】
図２は、空気調和機１の分解斜視図であり、吸込チャンバ３及びフレーム３７を斜め下から、吸込グリル５を斜め上から見た斜視図である。
図２に示すように、吸込チャンバ３は、吸込口３６となる開口が形成された略箱状の形態をなし、吸込口３６が室内側を向くようにして、即ち下方を向くようにして、天井等の内部若しくは近傍に配設される。
【００２９】
吸込チャンバ３の吸込口３６には、略矩形枠状のフレーム３７が取り付けられる。フレーム３７の略中央には、フレーム３７の１組の対辺に跨るようにベースプレート３８が設けられる。そして、ベースプレート３８の上方に昇降装置２の巻上装置１０が取り付けられる。
【００３０】
巻上装置１０には、引き出し自在且つ巻き上げ自在にワイヤ２０が接続され、ワイヤ２０によって接続金具３０が吊持される。接続金具３０は、吸込グリル５を支持するグリル支持部材４０に対して着脱自在に固定され、これによって、吸込グリル５は、接続金具３０を介してワイヤ２０に接続され、ワイヤ２０によって吊持される。
【００３１】
なお、フレーム３７には、磁力によって吸込グリル５若しくはその支持部材等を引き付けて保持するマグネット３９が設けられても良い。これにより、吸込グリル５の収納作業が容易になり、吸込グリル５を所定の収納位置に対して正確に、隙間等を少なく密着させて、収納することができる。
【００３２】
図３は、吸込グリル５を斜め上から見た斜視図である。図３に示すように、吸込グリル５には、フィルタ４５が着脱自在に取り付けられる。具体的には、吸込グリル５若しくはその支持部材等には、フィルタ４５を挿脱自在に支持する一対のレール４３が設けられており、そのレール４３に沿ってフィルタ４５が挿入される。なお、レール４３は、例えば、アルミニウム等の押出材や鋼板等の板金加工材等から構成される。
【００３３】
フィルタ４５は、例えば、鋼棒等から曲折形成される略矩形状のフィルタ枠４６と、フィルタ枠４６の間に張設される合成繊維製の不織布と、を有するエアフィルタ等である。吸込グリル５にフィルタ４５が取り付けられることにより、フィルタ４５の表面にほこり等を付着させて、空気調和機１にほこり等が吸入されることを防ぐことができる。
【００３４】
上記の如く、フィルタ４５は、昇降自在に構成される吸込グリル５に対して着脱自在に取り付けられる。これにより、天井近傍に設置される空気調和機１から吸込グリル５を下方に引き下げて、フィルタ４５を容易に取り外して、清浄、交換等をすることができる。
【００３５】
図４（Ａ）は、昇降装置２の概略構成を示す部分断面正面図であり、図４（Ｂ）は、接続金具３０近傍の概略構成を示す平面図である。なお、図４（Ａ）において、接続金具３０近傍については、図４（Ｂ）に示すＡ−Ａ線断面を表している。
【００３６】
図４（Ａ）に示すように、昇降装置２の巻上装置１０は、ベースプレート３８の上方でケース１７の内部に配設され、一対の巻取ドラム１２と、巻取ドラム１２に連結されるばね機構１３と、を有する。一対の巻取ドラム１２とばね機構１３は、支持部材１５及び支持部材１６によって回転自在に支持される駆動軸１１によって連結されている。なお、支持部材１５、１６は、例えば、鋼板等から略Ｌ字状等に曲折形成された部材である。
【００３７】
巻取ドラム１２は、ワイヤ２０を巻き取るものであり、ばね機構１３は、ワイヤ２０の巻き上げを行うために巻取ドラム１２を回転させる駆動手段である。ばね機構１３は、例えば、上下端部が夫々回転自在に上部巻回軸及び下部巻回軸に固定されて巻回される板ばね等から構成される定荷重ばね等である。なお、巻取ドラム１２を回転させる駆動手段としては、電動モータ等を採用しても良い。
【００３８】
駆動軸１１には、ワイヤ２０が引き出された状態で巻取ドラム１２の巻き上げ方向への回転を規制するクラッチ機構１４が連結される。クラッチ機構１４を設けることにより、吸込グリル５（図１参照）を下降した状態で静止させることができ、フィルタ４５（図３参照）の交換作業や、その他の点検作業等を容易に行うことができる。なお、クラッチ機構１４によって巻取ドラム１２の巻き上げ回転が規制された状態において、ワイヤ２０を更に引き出すことによりクラッチ機構１４の規制が解除される。これにより、巻取ドラム１２によるワイヤ２０の巻き上げが許容される。
【００３９】
巻取ドラム１２には、ワイヤ２０が接続される。具体的には、ワイヤ２０は、一端が一方の巻取ドラム１２Ａに接続されると共に他端が他方の巻取ドラム１２Ｂに接続される。そして、図４（Ａ）及び（Ｂ）に示すように、ワイヤ２０は、接続金具３０に回転自在に設けられる一対のプーリ２５に巻き掛けられ、これにより、接続金具３０は、ワイヤ２０によって吊り下げられることになる。
【００４０】
このように本発明では、従来技術のように連結具等によって２本のワイヤが連結される構成ではなく、１本の連続したワイヤ２０によって吸込グリル５が吊持される。そのため、従来技術のようにワイヤと連結具等とを接続する必要がなく、昇降装置２の組み立てが容易であり、昇降装置２と吸込グリル５との接続も容易である。また、従来技術のようなワイヤと連結具等との連結部がないので、そのような連結部からワイヤ２０が外れてしまうという恐れもない。
【００４１】
なお、ワイヤ２０としては、例えば、高強力ポリアリレート繊維やポリアミド繊維等からなる紐状体が用いられる。ワイヤ２０として高強力ポリアリレート繊維を用いることにより、所定の耐荷重を確保しつつワイヤ２０の径を小さく抑えることができる。これにより、左右の巻取ドラム１２Ａ、１２Ｂにおける巻き取り径の変化等による巻き取り長さの差を小さく抑えることができる。
【００４２】
また、複数本のワイヤ２０を並列的に使用することも可能である。そうすることにより、１本のワイヤ２０が何らかの理由で切断された場合であっても残りのワイヤ２０で吸込グリル５を支えることができる。複数本のワイヤ２０を使用する場合も、夫々のワイヤ２０は、一端が一方の巻取ドラム１２Ａに接続され、他端が他方の巻取ドラム１２Ｂに接続される。即ち、夫々のワイヤ２０は、途中に連結部等が設けられずに、一方の巻取ドラム１２Ａから他方の巻取ドラム１２Ｂまで連続している。
【００４３】
接続金具３０は、例えば、鋼板等から曲折形成され、略コ字状の横断面を有し、駆動軸１１と略平行に延在する。前述のプーリ２５は、接続金具３０が吊持された際にワイヤ２０の両端部側が略平行になるよう、接続金具３０の両端部近傍に設けられる。即ち、一対の巻取ドラム１２の配置間隔と、一対のプーリ２５の配置間隔は、略等しい。これにより、ワイヤ２０に作用する張力を最小に抑え、且つワイヤ２０が巻取ドラムから外れてしまうことを抑制し、吸込グリル５の荷重を好適に支えることができる。
【００４４】
また、図４（Ｂ）に示すように、接続金具３０の両端部近傍には、接続金具３０をグリル支持部材４０（図２参照）に固定する際にグリル支持部材４０の後述するねじ部４１（図６参照）に嵌められる固定孔３４が形成されている。
【００４５】
図５（Ａ）は、図４（Ｂ）に示すＡ−Ａ線断面図であり、昇降装置２のプーリ２５近傍を拡大して示している。図５（Ｂ）は、プーリ２５近傍を拡大して示す斜視図である。
図５（Ａ）及び（Ｂ）に示すように、プーリ２５は、接続金具３０の両端部近傍に設けられ、互いに平行な一対のプーリ軸２６に夫々回転自在に支持される。プーリ軸２６は、接続金具３０から曲折形成される支持片３３によって支持される。なお、支持片３３は、接続金具３０と一体的に形成されても良いし、接続金具３０とは別の部材として成形された後、接続金具３０に溶接等によって接合される構成でも良い。
【００４６】
そして、前述のとおり、一対のプーリ２５には、ワイヤ２０が巻き掛けられる。これにより、ワイヤ２０は、接続金具３０に対して、移動可能になる。換言すれば、接続金具３０は、ワイヤ２０に対して移動可能に吊持される。これにより、ワイヤ２０の両端側で巻き取り長さに差が生じても、吸込グリル５（図１参照）に接続される接続金具３０がワイヤ２０に対して相対移動し、吸込グリル５の傾きが修正される。
【００４７】
特に、本実施形態では、回転自在なプーリ２５を介して接続金具３０が吊り下げられる。そのため、ワイヤ２０を移動自在に支持するプーリ２５の転がり抵抗は、従来技術のようにワイヤを摺動自在に支持するガイド手段等の滑り抵抗と比べると小さい。よって、吸込グリル５は、ワイヤ２０に対して相対移動し易く、僅かに傾いたとしても水平な状態に戻り易い。これにより、吸込グリル５の姿勢が安定し、吸込グリル５は、吸込チャンバ３に収納された状態のみならず、下方に引き出されて吊り下げられた状態においても、略水平に保たれる。
【００４８】
また、一対のプーリ２５の間となる接続金具３０には、一対のプーリ２５の間のワイヤ２０がその延在方向に移動可能に挿通される一対のストッパ部３１が形成される。ストッパ部３１は、接続金具３０から一体的に曲折形成されても良いし、別途、鋼板等から略Ｌ字状等に曲折成形されて接続金具３０に溶接等によって接合されても良い。
【００４９】
ストッパ部３１には、ワイヤ２０が挿通される孔若しくは切欠き等である貫通孔３２が形成され、貫通孔３２には、合成樹脂等から形成される略筒状のガイドスリーブ３５が嵌め込まれる。そして、ガイドスリーブ３５にワイヤ２０が移動可能に挿通される。ストッパ部３１の貫通孔３２にガイドスリーブ３５を介してワイヤ２０が挿通されることにより、ワイヤ２０のストッパ部３１とワイヤ２０との擦れ等によるワイヤ２０の損傷等を防止することができる。
【００５０】
一対のストッパ部３１の間のワイヤ２０には、ストッパ部３１を通過できない形状の一対の抜止部材２２が固定される。抜止部材２２は、例えば、アルミニウム等からなる略筒状の部材であり、その内径部にワイヤ２０が挿通された後に、加締め加工等によって押し潰されてワイヤ２０に固定される。なお、抜止部材２２は、ワイヤ２０の抜止部材２２が固定された箇所がストッパ部３１を通過できない構成であれば良く、上記の例の他に、ねじ等によってワイヤ２０に固定される部材等でも良い。
【００５１】
このように、ストッパ部３１が設けられると共に、ワイヤ２０に抜止部材２２が取り付けられることにより、吸込グリル５が大きく傾いた際には、抜止部材２２がストッパ部３１のガイドスリーブ３５に当接する。これにより、吸込グリル５の傾きが規制され、吸込グリル５が大きく傾いてしまうことが抑制される。また、吸込グリル５が大きく傾くことがないので、吸込グリル５は、略水平な状態に戻り易い。
【００５２】
また、仮に、何らかの理由でワイヤ２０が切断された場合であっても、ワイヤ２０の切断されていない端部側に固定されている抜止部材２２はストッパ部３１を通過することができないので、切断されていない端部側のワイヤ２０によって吸込グリル５を支持することができる。よって、ワイヤ２０の破損時等においても吸込グリル５の落下を防止することができる。
【００５３】
なお、前述のように、複数本のワイヤ２０を並列的に利用する場合には、吸込グリル５の落下に対する安全性は更に高められる。なお、複数本のワイヤ２０を利用する場合には、複数本のワイヤ２０を束ねて、その束ねられたワイヤ２０に抜止部材２２を固定すれば良い。
【００５４】
ここで、図５（Ａ）に示す抜止部材２２の端部とそれに対向するガイドスリーブ３５の端部との距離Ｌ１は、ワイヤ２０の両端側における巻き取り長さの差に応じて適宜設定される。具体的は、距離Ｌ１は、想定されるワイヤ２０の巻き取り長さの差の１／２よりも大きく設定される。距離Ｌ１がワイヤ２０の巻き取り長さの差の１／２よりも小さいと、抜止部材２２の移動がストッパ部によって制限され、ワイヤ２０の巻き取り長さの差を吸収できず、吸込グリル５を水平に戻せない。
【００５５】
他方、抜止部材２２とガイドスリーブ３５との距離Ｌ１が大きすぎると、吸込グリル５の大きな傾きを許容することになり好ましくない。以上を勘案して、例えば、２ｍの昇降距離に対して、抜止部材２２とガイドスリーブ３５との距離Ｌ１は、５〜１００ｍｍ、好ましくは、１０〜５０ｍｍに設定される。
【００５６】
また、ストッパ部３１は、前述のような吸込グリル５の傾きを規制する機能、及び吸込グリル５の落下を防止する機能に加えて、ワイヤ２０をガイドしてワイヤ２０がプーリ２５から外れてしまうことを抑制するワイヤ外れ防止機能を有する。これにより、ワイヤ２０の外れが抑制され、安全性及び信頼性が高められる。
【００５７】
ここで、ストッパ部３１にワイヤ外れ防止機能を発揮させるためには、ストッパ部３１は、プーリ２５の近傍に設けられる必要がある。即ち、ストッパ部３１は、接続金具３０の両端部近傍のプーリ２５近傍に設けられる。ストッパ部３１は、ストッパ部３１若しくはガイドスリーブ３５がプーリ２５と干渉しない程度にプーリ２５に接近して設けられ、具体的には、ストッパ部３１若しくはガイドスリーブ３５とプーリ２５との距離は、１〜１５ｍｍが良い。このような構成により、ワイヤ２０の外れが抑制される。
【００５８】
また、昇降装置２は、プーリ２５の外側、即ち接続金具３０の両端側に、プーリ軸２６と平行なガイドピン２８を軸として、プーリ２５に隣接配置される一対のガイドローラ２７を有する。ガイドローラ２７は、接続金具３０の支持片３３に取り付けられるガイドピン２８によって回転自在に支持される。
【００５９】
このような構成により、プーリ２５に巻き掛けられたワイヤ２０は、プーリ２５とガイドローラ２７とによって挟まれることになる。これにより、ワイヤ２０が吸込グリル５に対して容易に移動できる状態で、且つワイヤ２０がプーリ２５から外れてしまうことが抑制される。よって、吸込グリル５の傾きを抑制しつつワイヤ２０の外れ等に対する安全性が高められる。
【００６０】
ここで、ガイドローラ２７の軸となるガイドピン２８と、プーリ２５の軸となるプーリ軸２６とは、略同じ高さに設定されることが好ましい。これにより、ワイヤ２０の移動抵抗が大きくならず、且つワイヤ２０の外れ防止を図ることができる。
【００６１】
なお、プーリ２５及びガイドローラ２７は、例えば、合成樹脂等から成形され、特に、ポリアセタール等の自己潤滑性に優れる合成樹脂材料から成形されることが望ましい。これにより、ワイヤ２０に対する接続金具３０の移動が容易になり、吸込グリル５の傾きを修正する機能が高められる。
【００６２】
また、ストッパ部３１と抜止部材２２との間には、ストッパ部３１及び抜止部材２２によって挟圧される弾性部材としてのスプリング２３が介装される。スプリング２３は、コイルばねであり、スプリング２３の巻回中心側にワイヤ２０が挿通される。
【００６３】
このようにスプリング２５が設けられることにより、吸込グリル５が傾いてワイヤ２０に固定されている抜止部材２２がストッパ部３１に接近した際には、ストッパ部３１若しくはガイドスリーブ３５と抜止部材２２とによってスプリング２３が圧縮される。そして、圧縮されたスプリング２３の復元力によって、ストッパ部３１と抜止部材２２とを引き離す力が作用する。その結果、吸込グリル５は元の略水平な状態に戻り易くなり、吸込グリル５の姿勢が安定する。
【００６４】
なお、弾性部材としては、前述のスプリング２５の他にも、各種の弾性材料からなる各種形状のばね等を採用することできる。コイル状のスプリング２５を用いた構成は、スプリング２５にワイヤ２０を挿通してスプリング２５を保持することができるので、弾性部材を保持するための部材等を別途設ける必要がない点において優れている。
【００６５】
次に、昇降装置２の接続金具３０を吸込グリル５に取り付けるための構成及び取り付けの動作について詳細に説明する。
図６（Ａ）は、昇降装置２の接続金具３０をグリル支持部材４０に載置した状態を示す斜視図であり、図６（Ｂ）は、図６（Ａ）に示すＢ部近傍の拡大斜視図である。図６（Ｃ）は、落下防止部材４８の取り付けを示すＢ部近傍の拡大斜視図であり、図６（Ｄ）は、ナット５０の取り付けを示すＢ部近傍の拡大斜視図である。
【００６６】
なお、昇降装置２が製品として出荷される際には、接続金具３０に対してプーリ２５やワイヤ２０等の部品は予め組み付けられている。また、グリル支持部材４０も吸込グリル５（図２参照）に対して予め組み付けられている。よって、ここで説明する昇降装置２に吸込グリル５を取り付ける作業は、主に、空気調和機１が設置される現場において行われる。
【００６７】
図６（Ａ）及び（Ｂ）に示すように、昇降装置２に吸込グリル５を接続するには、先ず、接続金具３０が、吸込グリル５を支持するグリル支持部材４０の上に載置される。その際、グリル支持部材４０の上面から上方に突設されているねじ部４１は、接続金具３０の両端近傍に形成されている固定孔３４に挿通される。これにより、接続金具３０の位置決めを容易に行うことができ、接続金具３０を所定の位置に配置することができる。
【００６８】
次に、図６（Ｃ）に示すように、グリル支持部材４０の上に載置された接続金具３０の両端部近傍に脱落防止部材４８が取り付けられる。具体的には、脱落防止部材４８は、略Ｕ字状に曲折された鋼板等からなり、グリル支持部材４０に形成されている貫通部４２から、接続金具３０及びグリル支持部材４０を挟むようにして装着される。なお、グリル支持部材４０も、鋼板等から曲折形成される板金部品であり、前述のとおり脱落防止部材４８を装着できるように上面から下面に貫通する貫通部４２が形成されている。
【００６９】
脱落防止部材４８が取り付けられることにより、脱落防止部材４８のＵ字状に曲折された上片の下面が接続金具３０の上面に当接し、脱落防止部材４８のＵ字状に曲折された下片の上面がグリル支持部材４０の下面に当接する。これにより、グリル支持部材４０は、接続金具３０に仮固定された状態となり、接続金具３０によってグリル支持部材４０及びそれにつながる吸込グリル５を持ち上げることができるようになる。
【００７０】
なお、脱落防止部材４８の上片には、ねじ部４１が挿入される切欠部４９が形成されている。脱落防止部材４８を取り付ける際には、脱落防止部材４８の切欠部４９にグリル支持部材４０のねじ部４１が挿入される。これにより、脱落防止部材４８の位置決めが容易になる。
【００７１】
次に、図６（Ｄ）に示すように、脱落防止部材４８の上方から、ねじ部４１に固定用のナット５０が螺合され、ねじ部４１とナット５０の締結によって接続金具３０がグリル支持部材４０に固定される。
【００７２】
上記のように、本実施形態に係る昇降装置２では、現場においてワイヤ２０の連結作業等を行うことなく、昇降装置２と吸込グリル５との接続作業を容易に行うことができる。即ち、巻上装置１０（図４参照）からワイヤ２０を引き出して、ワイヤ２０に予め接続されている接続金具３０を、吸込グリル５を支持するグリル支持部材４０に取り付けることにより、吸込グリル５を昇降装置２に容易に取り付けることができる。
【００７３】
なお、上記のように脱落防止部材４８が設けられることによる第１の利点は、何らかの理由でナット５０が外れてしまったとしても、脱落防止部材４８によって吸込グリル５の落下が防止できることにある。
【００７４】
また、脱落防止部材４８が設けられることによる第２の利点は、吸込グリル５の取り付け作業が容易になるという点である。つまり、従来技術のように連結具等にワイヤを連結する方法では、ワイヤの連結に両手を使用するので、一人の作業者のみで吸込グリルを持ち上げて支えて、且つワイヤを連結するという作業は困難であった。本実施形態に係る昇降装置２では、脱落防止部材４８を使用することにより、一人の作業者のみで吸込グリル５を取り付けることも可能である。
【００７５】
具体的には、作業者は、一方の手で吸込グリル５を支え、他方の手で接続金具３０をグリル支持部材４０に載置した後、前記他方の手で脱落防止部材４８を取り付けることができる。そして、その後、吸込グリル５を支える前記一方の手を離しても吸込グリル５は落下しないので、両手を使用してナット５０の締め付けを行うことができる。
【００７６】
なお、本発明は、上記実施形態に限定されるものではない。例えば、以上の説明では、一対の巻取ドラム１２を有する昇降装置２を用いて、吸込グリル５の中央部の２カ所で吸込グリル５を吊り上げる構成を説明したが、更にもう一対の巻取ドラム１２を設けても良い。即ち、吸込グリル５の対辺に夫々２カ所、合計４カ所で吸込グリル５を吊り上げる構成を採用することも可能である。その他、本発明は、本発明の要旨を逸脱しない範囲で、種々の変更実施が可能である。
【符号の説明】
【００７７】
１      空気調和機
２      昇降装置
３      吸込チャンバ
５      吸込グリル
１０    巻上装置
１２、１２Ａ、１２Ｂ    巻取ドラム
１３    バネ機構
１４    クラッチ機構
２０    ワイヤ
２２    抜止部材
２３    スプリング
２５    プーリ
２７    ガイドローラ
３０    接続金具
３１    ストッパ部
３５    ガイドスリーブ
３７    フレーム
３８    ベースプレート
４０    グリル支持部材
４５    フィルタ
４８    落下防止部材
【図１】
0006609203.tif 000002
【図２】
0006609203.tif 000003
【図３】
0006609203.tif 000004
【図４】
0006609203.tif 000005
【図５】
0006609203.tif 000006
【図６】
0006609203.tif 000007